(57)【要約】【課題】疎水性汚れ及び複合汚れの除去効果に優れた液体漂白剤組成物を提供する。【解決手段】（Ａ）過酸化水素、（Ｂ）界面活性剤、（Ｃ）アルキレンテレフタレート単位及び／又はアルキレンイソフタレート単位と、オキシアルキレン単位とを有する水溶性ポリマー、及び（Ｄ）水酸基を有し、ｌｏｇＰ値［Ｐはオクタノールと水との間における分配係数を示す。］が１．０〜３．５であり、かつｌｏｇＳ値［Ｓは２５℃の水に溶解する量（モル／Ｌ）を示す。］が−３．４〜０．２である有機溶媒を含有し、  前記（Ｃ）成分に対する前記（Ｂ）成分の含有量の比Ｂ／Ｃ（質量比）が、Ｂ／Ｃ＞１４．０であり、前記（Ｃ）成分に対する前記（Ｄ）成分の含有量の比Ｄ／Ｃ（質量比）が、Ｄ／Ｃ＞２．０であることを特徴とする液体漂白剤組成物。【選択図】なし【特許請求の範囲】
【請求項１】
（Ａ）過酸化水素、（Ｂ）界面活性剤、（Ｃ）アルキレンテレフタレート単位及び／又はアルキレンイソフタレート単位と、オキシアルキレン単位とを有する水溶性ポリマー、及び（Ｄ）水酸基を有し、ｌｏｇＰ値［Ｐはオクタノールと水との間における分配係数を示す。］が１．０〜３．５であり、かつｌｏｇＳ値［Ｓは２５℃の水に溶解する量（モル／Ｌ）を示す。］が−３．４〜０．２である有機溶媒を含有し、
前記（Ｃ）成分に対する前記（Ｂ）成分の含有量の比Ｂ／Ｃ（質量比）が、Ｂ／Ｃ＞１４．０であり、前記（Ｃ）成分に対する前記（Ｄ）成分の含有量の比Ｄ／Ｃ（質量比）が、Ｄ／Ｃ＞２．０であることを特徴とする液体漂白剤組成物。
【請求項２】
前記（Ｃ）成分の重量平均分子量が５００〜８０００である請求項１に記載の液体漂白剤組成物。
【発明の詳細な説明】
【技術分野】
【０００１】
本発明は、液体漂白剤組成物に関する。
【背景技術】
【０００２】
清潔に対する意識が年々高まる傾向にあるなか、漂白剤は、広く消費者に受け入れられ、消費されるようになり、その使用量は年々増加している。なかでも、漂白成分として過酸化水素を配合した酸素系漂白剤は、白物ばかりでなく色柄物を含む幅広い衣料に使用できることから、毎日の洗濯に衣料用酸素系漂白剤を使用することを洗濯習慣とし、実行している消費者も少なくない。
酸素系漂白剤としては、溶けやすさ、汚れのついた衣料に直接塗布できること等の簡便性の点から、液体タイプのものが主流となっている。
【０００３】
また、消費者は、従来から漂白剤の対象としてきた水溶性汚れだけでなく、洗剤で落とすべき疎水性汚れ（食べこぼしの油性汚れ、皮脂汚れ等）も漂白剤の対象と考えるようになっている。そのため、ホームクリーニングの増加とも合わせて、幅広い衣類材質に対して漂白剤の使用が試みられている。
しかし、従来用いられている漂白剤は、水溶性のしみを対象としているため、疎水性汚れを除去する能力は満足できるものではなかった。
【０００４】
一方、洗濯機の大型化に伴う機械力の低下、浴比の低下、さらに洗濯ネット使用によって、機械力がかかりにくい状況で洗濯が行われる場合が増えている。そのため、通常の洗濯において、疎水性汚れ、特に疎水的な繊維（例えばポリエステル繊維、アクリル繊維等）に付着した疎水性汚れを、満足のいくレベルまで落とすことは難しくなってきている。
このような、特に汚れの落ちにくい疎水性繊維の疎水性汚れを落とす手段として、例えば、ソイルリースポリマー、ＳＲ剤等と称される水溶性ポリマー等の添加剤が検討されている（例えば下記特許文献１〜７参照）。
その例として、例えば特許文献３、４、６、７では、粒状洗剤を中心に、漂白剤を配合したものが開示されている。
【０００５】
このように、漂白剤と水溶性ポリマーとを併用することにより、疎水性繊維を含む衣料等を含む幅広い用途において、疎水性汚れを除去する効果の向上が期待できる。
しかしながら、液体中に過酸化水素と水溶性ポリマーとを共存させると、長期保存により、水溶性ポリマーが分解してしまい、性能が低下したり、また、過酸化水素が水溶性ポリマーを分解することにより、過酸化水素自身も分解し、これにより貯蔵容器が膨らんでしまうという問題がある。そのため、従来、上述した液体タイプの酸素系漂白剤に水溶性ポリマーを配合することは困難であった。
【０００６】
このような問題に対し、本出願人は、特許文献８において、疎水性汚れを除去する効果に優れ、安定性に優れた漂白剤として、特定の水溶性ポリマーを過酸化水素および界面活性剤と組み合わせた液体漂白性組成物を開示している。
【特許文献１】特開平７−１６６１９２号公報
【特許文献２】特開２００１−３０３０９６号公報
【特許文献３】特表２０００−２３９３６５号公報
【特許文献４】特表２０００−２６４９２号公報
【特許文献５】特表２００２−５０４９４８号公報
【特許文献６】特開平９−１６９９９６号公報
【特許文献７】特表平８−５１２３４７号公報
【特許文献８】特開２００５−１８７６９５号公報
【発明の開示】
【発明が解決しようとする課題】
【０００７】
しかし、上記特許文献７の液体漂白性組成物は、疎水性汚れを除去する効果は良好であるものの、水溶性汚れと疎水性汚れとが混じり合った複合汚れ、特に疎水的な繊維（例えばポリエステル繊維、アクリル繊維等）に付着した複合汚れに対する除去効果は満足いかないという問題がある。また、疎水性汚れを除去する効果についても、さらなる向上が求められている。
本発明は、上記事情に鑑みてなされたものであって、疎水性汚れ及び複合汚れの除去効果に優れた液体漂白剤組成物を提供することを目的とする。
【課題を解決するための手段】
【０００８】
本発明者らは、鋭意検討を重ねた結果、過酸化水素と、界面活性剤と、特定の水溶性ポリマーと、特定の有機溶媒とを組み合わせ、かつ界面活性剤及び特定の有機溶媒を、水溶性ポリマーに対して一定比率以上配合することにより上記課題が解決されることを見出し、本発明を完成させた。
すなわち、本発明は、（Ａ）過酸化水素、（Ｂ）界面活性剤、（Ｃ）アルキレンテレフタレート単位及び／又はアルキレンイソフタレート単位と、オキシアルキレン単位とを有する水溶性ポリマー、及び（Ｄ）水酸基を有し、ｌｏｇＰ値［Ｐはオクタノールと水との間における分配係数を示す。］が１．０〜３．５であり、かつｌｏｇＳ値［Ｓは２５℃の水に溶解する量（モル／Ｌ）を示す。］が−３．４〜０．２である有機溶媒を含有し、
前記（Ｃ）成分に対する前記（Ｂ）成分の含有量の比Ｂ／Ｃ（質量比）が、Ｂ／Ｃ＞１４．０であり、前記（Ｃ）成分に対する前記（Ｄ）成分の含有量の比Ｄ／Ｃ（質量比）が、Ｄ／Ｃ＞２．０であることを特徴とする液体漂白剤組成物である。
【０００９】
ここで、本明細書および特許請求の範囲において、「アルキレン基」は、特に明示がない限り、直鎖または分岐鎖のいずれでもよいものである。また、「アルキル基」、「アルケニル基」等の、アルキレン基以外の炭化水素基についても、特に明示がない限り、直鎖または分岐鎖のいずれでもよいものである。
【発明の効果】
【００１０】
本発明によれば、疎水性汚れ及び複合汚れの除去効果に優れた液体漂白剤組成物を提供できる。
【発明を実施するための最良の形態】
【００１１】
以下本発明について詳細に説明する。
［（Ａ）成分（過酸化水素）］
液体漂白剤組成物中、（Ａ）成分の配合量は、特に制限されるものではないが、通常、組成物全量に対して０．１〜１０質量％が好ましく、０．５〜１０質量％がより好ましく、１〜６質量％が更に好ましい。（Ａ）成分の配合量が０．１質量％以上であると、漂白性能が向上し、また１０質量％以下であると、例えば家庭用として使用しやすい。
【００１２】
［（Ｂ）成分（界面活性剤）］
（Ｂ）成分としては、ノニオン界面活性剤、アニオン界面活性剤、カチオン界面活性剤及び両性界面活性剤が挙げられる。これらはいずれか１種を単独で用いてもよく、２種以上を併用してもよい。
これらの界面活性剤の中でも、炭素数８〜２４、特に炭素数１０〜２０のアルキル基又はアルケニル基を少なくとも１個有する界面活性剤；炭素数８〜２４、特に１０〜２０のアルキル基で置換されたアリール基を少なくとも１個有する界面活性剤が好ましい。
上記アルキル基としては、例えばヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基等が挙げられる。
上記アルケニル基としては、上記アルキル基に対応するアルケニル基が挙げられ、例えばデセニル基、ウンデセニル基、ドデセニル基、トリデセニル基、テトラデセニル基、ペンタデセニル基等が挙げられる。
【００１３】
・ノニオン界面活性剤
ノニオン界面活性剤として、より具体的には、例えばポリオキシアルキレンアルキルエーテル、アルキル（ポリ）グリコシド、ソルビタン脂肪酸エステル、ポリオキシエチレンソルビタン脂肪酸エステル、ポリオキシエチレン脂肪酸エステル、ポリオキシエチレン脂肪酸エステルオキシエチレンプロピレンブロックポリマー、脂肪酸モノグリセライド、アミンオキサイド等が挙げられる。
【００１４】
これらの中でも、ポリオキシアルキレンアルキルエーテルが好ましく、特に、下記一般式（１）で示されるノニオン界面活性剤が好ましい。
Ｒ１１−Ｏ−（ＣＨ２ＣＨ２Ｏ）ｎａｖ−Ｈ・・・（１）
［式（１）中、Ｒ１１は炭素数７〜１６のアルキル基又はアルケニル基を示し、ｎａｖはエチレンオキサイドの平均付加モル数（ＥＯ平均付加モル数）を示す。］
【００１５】
ここで当該一般式（１）において、Ｒ１１で示されるアルキル基又はアルケニル基の炭素数は７〜１６であり、好ましくは１０〜１６、より好ましくは１２〜１４である。具体的なアルキル基としては、例えばヘプチル基、オクチル基、ノニル基、デシル基、ウンデシル基、ドデシル基、トリデシル基、テトラデシル基、ペンタデシル基、ヘキサデシル基等を挙げることができる。
また、アルケニル基としては、上記アルキル基に対応するアルケニル基が挙げられ、例えば、デセニル基、ウンデセニル基、ドデセニル基、トリデセニル基、テトラデセニル基、ペンタデセニル基等が挙げられる。
一般式（１）で表されるノニオン界面活性剤は、Ｒ１１が異なる化合物の混合物であってもよく、例えば２種類以上のアルコールにエチレンオキサイドを付加させたものでもよい。
上記一般式（１）において、ＥＯ平均付加モル数ｎａｖは３〜１５が好ましく、特に３〜６が好適である。
【００１６】
ここで、付加モル数は、使用するアルコール１モルに対して反応させたエチレンオキサイドのモル数を意味する。ＥＯ平均付加モル数ｎａｖが上記の範囲内にあれば、油シミ等の疎水性汚れに対する漂白効果が向上するため好ましい。
ここで、アルコールにエチレンオキサイドを反応させて得られるノニオン界面活性剤の場合、エチレンオキサイドの付加反応によって、通常、平均付加モル数ｎａｖを中心として、付加モル数の異なる分布を有するノニオン界面活性剤が得られる。
上記一般式（１）で表されるノニオン界面活性剤において、ＥＯ平均付加モル数ｎａｖが３〜１５、特に３〜６の場合、付加モル数の分布がシャープなものを用いると、製品の香気が良好であるため、好ましい。付加モル数の分布がシャープなノニオン界面活性剤としては、上記一般式（１）で表されるノニオン界面活性剤の合計質量に対する、付加モル数が、（ｎａｖ−２）から（ｎａｖ＋２）の範囲内に含まれるものの合計質量の割合（Ｙｉ）が５５質量％以上のものが挙げられ、Ｙｉは、より好ましくは７０質量％以上、特に好ましくは８０質量％以上である。
【００１７】
このような、エチレンオキサイドの付加モル数の分布がシャープなノニオン界面活性剤の製造方法は特に限定されるものでなく、例えば、高級アルコールとエチレンオキサイドから常法により合成した反応生成物から蒸留等により必要分子量範囲のものを分取することにより得られる。
また、例えば、特定のアルコキシル化触媒を使用して脂肪族アルコール等にエチレンオキサイドを付加反応させることによって容易に得ることができる。
この場合、アルコキシル化触媒としては、例えば特公平６−１５０３８号公報に記載されているアルコキシル化触媒を使用することができる。具体的には、Ａｌ３＋、Ｇａ３＋、Ｉｎ３＋、Ｔｌ３＋、Ｃｏ３＋、Ｓｃ３＋、Ｌａ３＋、Ｍｎ２＋等の金属イオンを添加した酸化マグネシウム等を使用することができる。
【００１８】
なお、上記一般式（１）で示されるノニオン界面活性剤におけるエチレンオキサイド付加モル数の分布は、例えばカラムに製品名ＺＯＲＢＡＸＣ８（デュポン製）、移動相にアセトニトリルと水の混合溶媒を使用する高速液体クロマトグラフィー（ＨＰＬＣ）によって容易に測定することができる。
【００１９】
・アニオン界面活性剤
アニオン界面活性剤として、より具体的には、例えばアルキルベンゼンスルホン酸又はその塩；α−オレフィンスルホン酸塩；直鎖、または分岐のアルキル硫酸エステル塩；直鎖又は分岐鎖のアルキル基もしくはアルケニル基を有し、平均０．５〜８モルのエチレンオキサイドを付加したアルキルエーテル硫酸エステル塩又はアルケニルエーテル硫酸エステル塩；α−スルホ脂肪酸エステル塩；高級脂肪酸塩等が挙げられる。
これらの塩としては、ナトリウム、カリウム等のアルカリ金属塩、マグネシウム等のアルカリ土類金属塩等が挙げられる。
【００２０】
アルキルベンゼンスルホン酸又はその塩としては、炭素数８〜１６のものが好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩又はアルケニルエーテル硫酸エステル塩としては、炭素数１０〜２０の直鎖又は分岐鎖のアルキル基もしくはアルケニル基を有し、平均０．５〜８モルのエチレンオキサイドを付加したのものが好ましい。
α−スルホ脂肪酸エステル塩としては、炭素数１０〜２０のものが好ましい。
高級脂肪酸塩としては、炭素数１０〜２０のものが好ましい。
【００２１】
アニオン界面活性剤として、特に上記炭素数（８〜２４、好ましくは１０〜２０）のアルキル基やアルケニル基を有するものを使用すると、（Ｂ）成分と（Ｃ）成分の相溶性が良好で、液が分離や白濁を示さない液体漂白剤組成物をより容易に得ることができる。
【００２２】
・カチオン界面活性剤
カチオン界面活性剤としては、第４級アンモニウム塩が挙げられる。
第４級アンモニウム塩としては、従来提案されているどのようなものも使用でき、例えば、ジアルキル型第４級アンモニウム塩の場合は、長鎖アルキル基の炭素数は６〜２４、特に１０〜２０が好ましく、短鎖アルキル基の炭素数は１〜３のアルキル基又はヒドロキシアルキル基が好ましい。
【００２３】
・両性界面活性剤
両性界面活性剤としては、例えばカルボベタイン、スルホベタイン、ヒドロキシスルホベタイン等を挙げることができ、炭素数は１０〜２０が好ましい。
【００２４】
本発明の液体漂白剤組成物においては、（Ｂ）成分が、上記一般式（１）で示されるノニオン界面活性剤、及びアルキルベンゼンスルホン酸又はその塩、α−オレフィンスルホン酸塩等のアニオン界面活性剤からなる群から選択される１種以上を含有することが好ましい。これにより、（Ｃ）成分を安定に可溶化し、液の分離や白濁をより有効に防止することができる。更に、被洗物への浸透性が良好で、より高い漂白性能を得ることができる。
特に、ノニオン界面活性剤及びアニオン界面活性剤（特にアルキルベンゼンスルホン酸等のスルホン酸系アニオン）の両方を含有することが好ましい。これにより、液体漂白剤組成物を特に良好な粘度に調整できる。
【００２５】
液体漂白剤組成物中、（Ｂ）成分の配合量は、Ｂ／Ｃ＞１４．０を満たす量であれば特に制限されるものではないが、通常、液体漂白剤組成物全量に対して１質量％以上が好ましく、２〜５５質量％がより好ましく、６〜４０質量％が特に好ましい。配合量が１質量％以上であると、性能面で良好な効果が得られる。５５質量％以下であると、コストや安定性の点で好ましい。
【００２６】
［（Ｃ）成分（アルキレンテレフタレート単位及び／又はアルキレンイソフタレート単位と、オキシアルキレン単位とを有する水溶性ポリマー）］
「アルキレンテレフタレート単位及び／又はアルキレンイソフタレート単位と、オキシアルキレン単位とを有する」とは、下記（ｃ１）単位を有し、かつ下記（ｃ２）単位を有することを示す。
（ｃ１）単位：アルキレンテレフタレート単位及びイソフタレート単位の一方あるいは両方。
（ｃ２）単位：オキシアルキレン単位。
【００２７】
ここで、「単位」とは重合体を構成するモノマー単位を示す。
「水溶性ポリマー」とは、１０ｇの当該ポリマーを、４０℃の条件で、１０００ｇの水に添加し、１２時間、スターラー（太さ８ｍｍ、長さ５０ｍｍ、１Ｌビーカー）で２００ｒｐｍ攪拌したとき、完全に溶解するものと定義する。
【００２８】
・（ｃ１）単位
アルキレンテレフタレート単位は、下記一般式（Ｉ）で表されるものである。
【００２９】
【化１】
2007169576.tif 000002
（式中、Ｒは低級アルキレン基である。）
【００３０】
式（Ｉ）中、Ｒの低級アルキレン基は、炭素数１〜６のアルキレン基であり、炭素数が４以下であることが好ましく、特に炭素数が２〜４であることが好ましい。
アルキレンテレフタレート単位として、具体的には、エチレンテレフタレート単位、プロピレンテレフタレート単位、ｎ−ブチレンテレフタレート単位、イソブチレンテレフタレート単位、ｓｅｃ−ブチレンテレフタレート単位、ｔｅｒｔ−ブチレンテレフタレート単位、及びこれらの混合物等が挙げられ、中でもプロピレンテレフタレート単位が好ましい。
【００３１】
アルキレンイソフタレート単位は、下記一般式（ＩＩ）で表されるものである。
【００３２】
【化２】
2007169576.tif 000003
（Ｒは低級アルキレン基である。）
【００３３】
式（ＩＩ）中、Ｒの低級アルキレン基としては、式（Ｉ）中のＲのアルキレン基と同様のものが挙げられる。
アルキレンイソフタレート単位としては、具体的には、エチレンイソフタレート単位、プロピレンイソフタレート単位、ｎ−ブチレンイソフタレート単位、ｓｅｃ−ブチレンテレフタレート単位、ｔｅｒｔ−ブチレンイソフタレート単位、及びこれらの混合物が挙げられ、中でもプロピレンイソフタレート単位が好ましい。
【００３４】
（Ｃ）成分中、（ｃ１）単位から選ばれるものは１種または２種以上含まれていてもよい。
アルキレンテレフタレート単位とイソフタレート単位とは、通常、混合物で得られる。
【００３５】
・（ｃ２）単位
オキシアルキレン単位は、一般式−（Ｒ’Ｏ）ｎ−で表すことができる。
式中、Ｒ’は低級アルキレン基であり、Ｒの低級アルキレン基としては、式（Ｉ）中のＲのアルキレン基と同様のものが挙げられ、エチレン基、プロピレン基、又はそれらの混合物が好ましい。
ｎは１以上の整数であり、好ましくは５〜１５０、さらに好ましくは１０〜１００である。
オキシアルキレン単位としては、例えばｎ＝１のオキシエチレン単位、オキシプロピレン単位；ｎが２以上のポリオキシエチレン単位、ポリオキシプロピレン単位、ポリオキシエチレンポリオキシプロピレン単位等が挙げられ、特にオキシエチレン単位又はポリオキシエチレン単位が好ましい。
（Ｃ）成分中、（ｃ２）単位から選ばれるものは１種または２種以上含まれていてもよい。
【００３６】
（Ｃ）成分は、これら必須の単位（（ｃ１）単位及び（ｃ２）単位）以外の単位、例えば重合開始剤、重合停止剤等に由来する単位や、その他共重合可能な単位を含んでいてもよいが、当該（Ｃ）成分を構成する全単位の合計の８０モル％以上、好ましくは９０モル％以上がこれら必須の単位によって構成されていることが好ましい。
【００３７】
（Ｃ）成分は、重量平均分子量が５００〜８０００であることが好ましい。この重量平均分子量の範囲で用いると、水への溶解分散性を向上させることができ、かつ疎水性繊維の疎水性しみ汚れの塗布漂白洗浄性能が十分に発現し、しかも漂白組成物の液外観が良好で実使用上好ましい。
ここで重量平均分子量は、ＧＰＣ（ゲルパーミネーションクロマトグラフィー）で、溶媒：ＴＨＦ（テトラヒドロフラン）で測定した値を、ＰＥＧ（ポリエチレングリコール）を較正曲線に用いて換算した値である。
重量平均分子量の下限値は、８００以上であることがより好ましく、特に１０００以上であることが好ましい。重量平均分子量の上限値は、８０００以下であることがより好ましく、７０００以下であることがさらに好ましく、特に６０００以下が好ましい。
【００３８】
（Ｃ）成分は、例えば（ｃ１）単位と（ｃ２）単位とが、ランダムまたはブロックで重合している高分子化合物であることが好ましく、特にブロックで重合しているものが好ましい。
【００３９】
（Ｃ）成分の製造方法は、各種の文献、教科書及び特許等に開示されている任意の方法が使用できる。
例えば、Ｊｏｕｒｎａｌｏｆ  Ｐｏｌｙｍｅｒ  Ｓｃｉｅｎｃｅ，第３巻，６０９〜６３０ページ（１９４８年）、Ｊｏｕｒｎａｌ  ｏｆＰｏｌｙｍｅｒ  Ｓｃｉｅｎｃｅ，第８巻，１〜２２ページ（１９５１年）、特開昭６１−２１８６９９号公報記載の方法を用いてもよく、それ以外の方法を用いて製造してもよい。
【００４０】
（Ｃ）成分の具体的例としては、商品名ＴｅｘＣａｒｅＳＲＮ−１００（ドイツ、Ｃｌａｒｉａｎｔ  ＧｍｂＨ社製、重量平均分子量３０００）（以下、ＳＲＮ−１００と略記する。）、商品名ＴｅｘＣａｒｅＳＲＮ−３００（ドイツ、ＣｌａｒｉａｎｔＧｍｂＨ社製、重量平均分子量７０００）（以下、ＳＲＮ−３００と略記する。）として市販されているもの等が挙げられる。特に、水への溶解性が高く、したがって透明感の高い液体漂白剤組成物が得られることから、ＳＲＮ−１００が好ましい。
【００４１】
好適な（Ｃ）成分として、上記ＳＲＮ−１００、ＳＲＮ−３００に対応する水溶性ポリマーの具体的な構造を下記一般式（ＩＩＩ）に示す。なお、一般式（ＩＩＩ）においてはテレフタレート単位を有するものを示しているが、（Ｃ）成分としては、イソフタレート単位であってもよく、テレフタレート単位とイソフタレート単位との混合物でも良い。
【００４２】
【化３】
2007169576.tif 000004
【００４３】
式（ＩＩＩ）において、Ａ及びＢは、それぞれ独立に水素原子もしくはメチル基であり、メチル基が好ましい。
Ｒ１は、炭素数２〜４のアルキレン基である。
Ｒ２は、メチル基及び／または水素原子であり、メチル基が好ましい。
ｘは、０〜１０であることが好ましく、０．５〜５がより好ましく、特に０．５〜２．５が好ましい。
ｙは、１〜１００であり、好ましくは１〜８０、特に好ましくは１〜５０である。
ｘ，ｙが上記範囲であると、性能が十分に発揮され、かつ水に対する溶解性が向上し、透明感の高い液体漂白剤組成物が得られる。
【００４４】
また、上記一般式（ＩＩＩ）において、下付き文字Ｘが付された括弧内に示される部分構造が、下記一般式（ＩＶ）に示す構造に置換されたものが含まれていてもよい。
【００４５】
【化４】
2007169576.tif 000005
【００４６】
式（ＩＶ）中のＲ２及びｘは、式（ＩＩＩ）中のＲ２及びｘと同様である。
【００４７】
一般的に、液体中に高分子を配合すると、その液体は増粘する傾向があるが、上述の様な（Ｃ）成分、特にＳＲＮ−１００は、粘度調整剤としての機能を有しており、液体漂白剤組成物の減粘作用を有する。
【００４８】
液体漂白剤組成物中、（Ｃ）成分の配合量は、Ｂ／Ｃ＞１４．０及びＤ／Ｃ＞２．０を満たす量であれば特に制限されるものではないが、通常、組成物全量に対して０．０５〜３質量％が好ましく、０．１〜２質量％がより好ましく、０．４〜２質量％が更に好ましい。（Ｃ）成分の配合量が上記範囲内であると、性能が良好に発現し、かつコストも低減できる。
【００４９】
〔（Ｄ）成分（水酸基を有し、ｌｏｇＰ値が１．０〜３．５であり、かつｌｏｇＳ値が−３．４〜０．２である有機溶媒〕
ｌｏｇＰ値は、疎水性パラメーターの１つである、オクタノールと水との間における分配係数Ｐから求められる。分配係数Ｐは、オクタノールと水との間における平衡状態での物質の活動比としてＰ＝Ｃｏ／Ｃｗ（Ｃｏはオクタノール中の濃度、Ｃｗは水中の濃度）として表される。
ｌｏｇＳ値は、当該有機溶媒の溶解度Ｓから求められる。溶解度Ｓは、２５℃、ｐＨ７における水に溶解する当該有機溶媒の限界量（モル／Ｌ）として表される。
本明細書及び特許請求の範囲に記載のｌｏｇＰ値、ｌｏｇＳ値は、Ａｄｏｖａｎｃｅｄ  Ｃｈｅｍｉｓｔｒｙ  Ｄｅｖｅｌｏｐｍｅｎｔ社製ソフトウェアのＡＣＤ／Ｌａｂｓ  ８．００  ｖｅｒ．８．０８に搭載されたアプリケーションソフトＡＣＤ／Ｃｈｅｍ  Ｓｋｅｔｃｈで計算した値を使用した。
【００５０】
ｌｏｇＰ値は、好ましくは１．１〜３．２であり、より好ましくは１．１〜２．５である。当該有機溶媒の疎水性が高いほどＰの値が大きくなり、従ってｌｏｇＰ値も大きくなる。つまり、ｌｏｇＰ値が大きいほど、疎水性の高い有機溶媒である。従って、（Ｄ）成分のｌｏｇＰ値が大きいほど、当該液体漂白剤組成物が疎水性汚れに浸透しやすくなり、疎水性汚れに対する除去効果が向上し、一方、（Ｄ）成分のｌｏｇＰ値が小さいほど、当該液体漂白剤組成物が水溶性汚れに浸透しやすくなり、水溶性汚れに対する除去効果が向上すると推測される。
ｌｏｇＳ値は、好ましくは−３．３〜０．１であり、より好ましくは−３．０〜０．１である。当該有機溶媒の水への溶解性が低いほどＳ値が小さくなり、従ってｌｏｇＳ値も小さくなる。従って、（Ｄ）成分のｌｏｇＳ値が小さすぎると当該液体酸素系組成物の液外観が保てなくなり、その結果洗浄効果が十分発揮されなくなる。一方、有機溶媒の水への溶解性が高いほどＳ値が大きくなり、従ってｌｏｇＳ値も大きくなる。従って（Ｄ）成分のｌｏｇＳ値が大きすぎると当該液体漂白剤組成物の疎水性汚れへの親和性が乏しくなり、除去効果が低下すると推測される。
そして、本発明においては、当該液体漂白剤組成物が、ｌｏｇＰ値及びｌｏｇＳ値がそれぞれ上記範囲内である（Ｄ）成分を含有することにより、疎水性汚れ及び水溶性汚れの両方に対して良好な親和性を有するものとなり、更に、（Ｄ）成分と他の成分との相乗作用が生じることにより、疎水性汚れ及び水溶性汚れの混合物であって従来は非常に除去しにくかった複合汚れに対しても、優れた除去効果を発揮すると推測される。
【００５１】
ｌｏｇＰ値が１．０〜３．５であり、かつｌｏｇＳ値が−３．４〜０．２である有機溶媒（（Ｄ）成分）の具体例および（Ｄ）成分には含まれない有機溶媒（非（Ｄ）成分）の具体例を下記表１に示す。
【００５２】
【表１】
2007169576.tif 000006
【００５３】
また、（Ｄ）成分の中には、任意成分（Ｅ）で後述するラジカルトラップ能を有するものもあり、例えば４−メトキシフェノール、２−メトキシフェノール等が挙げられる。
【００５４】
（Ｄ）成分は１種を単独で用いても良く、２種以上を併用しても良い。
液体漂白剤組成物中、（Ｄ）成分の配合量は、Ｄ／Ｃ＞２．０を満たす量であれば特に制限されるものではないが、通常、組成物全量に対して０．２〜１５質量％が好ましく、０．３〜１０質量％がより好ましく、１〜１０質量％が更に好ましい。（Ｄ）成分の配合量が上記範囲内であると、疎水性汚れ及び複合汚れに対する除去性能（漂白洗浄性能）が良好に発現する。
【００５５】
［Ｂ／Ｃ＞１４．０、Ｄ／Ｃ＞２．０］
本発明の液体漂白剤組成物においては、前記（Ｃ）成分に対する前記（Ｂ）成分の含有量の比Ｂ／Ｃ（質量比）が、Ｂ／Ｃ＞１４．０であり、前記（Ｃ）成分に対する前記（Ｄ）成分の含有量の比Ｄ／Ｃ（質量比）が、Ｄ／Ｃ＞２．０である必要がある。これにより、疎水性汚れ及び複合汚れの除去に優れた効果を発揮する。
Ｂ／Ｃは、１５以上であることがより好ましく、２０以上であることがさらに好ましい。Ｂ／Ｃの上限値は、特に制限はないが、（Ｃ）成分の効果を有効に発現させることを考慮すると、１００以下であることが好ましく、７０以下であることがより好ましい。
Ｄ／Ｃは、２．５以上であることがより好ましく、５．０以上であることがさらに好ましい。Ｄ／Ｃの上限値は、特に制限はないが、（Ｃ）成分の効果を有効に発現させることを考慮すると、７０以下であることが好ましく、５０以下であることがより好ましい。
【００５６】
［任意成分］
本発明の液体漂白剤組成物は、上記以外の任意性分を含有してもよい。好ましい任意成分としては、（Ｅ）フェノール系ラジカルトラップ剤、及び（Ｆ）ホスホン酸系金属補足成分が挙げられる。
【００５７】
［（Ｅ）成分（フェノール系ラジカルトラップ剤）］
「フェノール系ラジカルトラップ剤」は、（Ｄ）成分に含まれないフェノール誘導体であって、ラジカルをトラップする作用を有するものである。
本発明の液体漂白剤組成物において、（Ｅ）成分は必須ではないが、（Ｅ）成分を配合することにより、（Ｃ）成分の分解を抑制するという効果が得られる。また、これにより、（Ａ）成分の分解も抑制される。これは、フェノール系ラジカルトラップ剤は、他のラジカルトラップ剤よりラジカルをトラップする効果が高いためであると推測される。
【００５８】
（Ｅ）成分としては、フェノール性水酸基（ＯＨ基）を有する化合物（フェノール化合物）、又はそのエステル誘導体、エーテル誘導体が好ましい。
フェノール化合物のエステル誘導体とは、フェノール化合物におけるフェノール性ＯＨ基の水素原子が置換されてエステル結合を形成している化合物（エステル化ＯＨ基を有する化合物）である。
フェノール化合物のエーテル誘導体とは、フェノール化合物におけるフェノール性ＯＨ基の水素原子が置換されてエーテル結合を形成している化合物（エーテル化ＯＨ基を有する化合物）である。
これらの化合物において、フェノール性ＯＨ基、エステル化ＯＨ基又はエーテル化ＯＨ基が結合したベンゼン環は、それぞれ、フェノール性ＯＨ基、エステル化ＯＨ基又はエーテル化ＯＨ基以外の置換基を有していてもよい。当該ベンゼン環がフェノール性ＯＨ基、エステル化ＯＨ基又はエーテル化ＯＨ基以外の置換基を有する場合、その置換位置は、フェノール性ＯＨ基、エステル化ＯＨ基又はエーテル化ＯＨ基に対してオルト位、メタ位、パラ位のいずれでもよい。
（Ｅ）成分としては、例えば分子量８０〜２５０のものが好ましい。
【００５９】
これらの中でも、フェノール性ＯＨ基を有する化合物が好ましい。
更に好ましい化合物は、Ｇ．Ｅ．Ｐｅｎｋｅｔｈ，Ｊ．Ａｐｐｌ．Ｃｈｅｍ，７，５１２（１９５７）に記載された酸化還元電位が１．２５Ｖ以下の化合物であり、特に好ましくは、０．７５Ｖ以下の化合物である。
これらの化合物の中でも、好ましくはカテコール、ヒドロキノン、ジブチルヒドロキシトルエン（ＢＨＴ）等を挙げることができる。
【００６０】
以下に、（Ｅ）成分の具体例として、代表的な化合物の構造式を示す。なお、式中に示してあるＭｅはメチル基を示す。
【００６１】
【化５】
2007169576.tif 000007
【００６２】
【化６】
2007169576.tif 000008
【００６３】
【化７】
2007169576.tif 000009
【００６４】
（Ｅ）成分は、１種または２種以上混合して用いることができる。
液体漂白剤組成物中、（Ｅ）成分の配合量は、特に制限されるものではないが、液体漂白剤組成物全量に対して０．０１〜６質量％が好ましく、０．０５〜５質量％がより好ましく、０．１〜３質量％が特に好ましい。０．１質量％以上では（Ｃ）成分の分解を良好に抑制し、また、（Ａ）成分の分解も充分防止できる。また、６質量％以下であると、結晶の析出や液の分離が生じにくいなど、製剤の安定性が良好である。
【００６５】
［（Ｆ）成分（ホスホン酸系金属補足成分）］
本発明の液体漂白剤組成物において、（Ｆ）成分は必須ではないが、（Ｆ）成分を配合することにより、（Ａ）、（Ｃ）成分の分解を抑制するという効果が得られる。
すなわち、組成物中に微量の鉄イオン、又は銅イオンが存在すると、漂白剤組成物の安定性が低下し、（Ａ）、（Ｃ）成分が分解する。その結果、（Ｃ）成分の性能低下や（Ａ）成分の分解により、ガス発生量が増加し容器の膨らみや亀裂などを引き起こす可能性がある。
これら金属イオンの影響を抑制するには、キレート効率の指標として、一般的に用いられているキレート安定度定数Ｋの対数値（ｌｏｇＫ）の値が多いものほど良いといえる。したがって、（Ｆ）成分としては、ホスホン構造を有し、Ｆｅ３＋，Ｃｕ２＋に対するキレート安定度定数の対数値（ｌｏｇＫ）がそれぞれ１０以上であるものが好ましく、１２以上であるものがより好ましい。
【００６６】
（Ｆ）成分としては、エタン−１，１−ジホスホン酸、エタン−１，１，２−トリホスホン酸塩、１−ヒドロキシエタン−１，１−ジホスホン酸、エタンヒドロキシ−１，１，２−トリホスホン酸、エタン−１，２−ジカルボキシ−１，２−ジホスホン酸、メタンヒドロキシホスホン酸、ニトリロトリメチレンホスホン酸、エチレンジアミンテトラキスメチレンホスホン酸等の有機ホスホン酸誘導体が挙げられる。
これらの中でも特に１−ヒドロキシエタン−１，１−ジホスホン酸、エチレンジアミンテトラキスメチレンホスホン酸などがより好ましい。
１−ヒドロキシエタン−１，１−ジホスホン酸の主な市販品としては、例えばオルブライトウィルソン社の製品名ＢＲＩＱＵＥＳＴ  ＡＤＰＡ、キレスト社の製品名キレストＰＨ−２１０、モンサント社の製品名ＤＥＱＵＥＳＴ  ２０１０等が挙げられる。これらの何れを使用しても同様の効果が得られる。
【００６７】
（Ｆ）成分は１種または２種以上混合して用いることができる。
液体漂白剤組成物中、（Ｆ）成分の配合量は、特に制限されるものではないが、液体漂白剤組成物全量に対して０．０５〜３質量％が好ましく、０．１〜３質量％がより好ましく、０．３〜３質量％が特に好ましい。この範囲であると、液外観も良好であり、漂白剤組成物の安定性、漂白成分の安定性も良好である。
【００６８】
なお、（Ｅ）成分及び（Ｆ）成分は、いずれも、（Ｃ）成分の分解や（Ａ）成分の分解を抑制するものであるので、その効果の点ではいずれか一方を配合すればよいが、両方を配合することが好ましい。
【００６９】
液体漂白剤組成物には、例えば以下に示す様な、（Ｅ）成分及び（Ｆ）成分以外の他の任意成分を適宜配合可能である。
・有機過酸前駆体
有機過酸前駆体を配合すると、さらに漂白効果を向上させることができる。
有機過酸前駆体の代表例としては、テトラアセチルエチレンジアミン、ペンタアセチルグルコース、オクタノイルオキシベンゼンスルホン酸ナトリウム、ノナノイルオキシベンゼンスルホン酸ナトリウム、デカノイルオキシベンゼンスルホン酸ナトリウム、ウンデカノイルオキシベンゼンスルホン酸ナトリウム、ドデカノイルオキシベンゼンスルホン酸ナトリウム、オクタノイルオキシ安息香酸、ノナノイルオキシ安息香酸、デカノイルオキシ安息香酸、ウンデカノイルオキシ安息香酸、ドデカノイルオキシ安息香酸、オクタノイルオキシベンゼン、ノナノイルオキシベンゼン、デカノイルオキシベンゼン、ウンデカノイルオキシベンゼン、ドデカノイルオキシベンゼン等を挙げることができる。これらの中でも特にノナノイルオキシベンゼンスルホン酸ナトリウム、ドデカノイルオキシベンゼンスルホン酸ナトリウム、デカノイルオキシ安息香酸等がより好ましい。
【００７０】
・他の有機溶媒
本発明の液体漂白剤組成物には、香料等の各種成分を安定配合するために、本発明の効果を損なわない範囲で、（Ｄ）成分以外の他の有機溶媒を配合してもよい。かかる有機溶媒としては、一般に液体洗浄剤組成物や液体漂白剤組成物にハイドロトロープ剤として配合される有機溶媒が使用できる。
具体的には、例えば、エタノール、イソプロパノール、フェニルポリオキシエチレンアルコール等の１価のアルコール類や、エチレングリコール、プロピレングリコール、ポリエチレングリコール、グリセリン等の多価アルコール類等のうち、ｌｏｇＰ値が１．０〜３．５の範囲外であるものや、ｌｏｇＳ値が−３．４〜０．２の範囲外であるもの等が使用できる。
【００７１】
・香料
香料としては、通常、下記香料原料を複数組み合わせ配合した香料組成物が好適に使用される。
香料として使用される香料原料のリストは、様々な文献、例えば「Ｐｅｒｆｕｍｅ  ａｎｄ  Ｆｌａｖｏｒ  Ｃｈｅｍｉｃａｌｓ」，Ｖｏｌ．Ｉａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）及び「合成香料  化学と商品知識」、印藤元一著、化学工業日報社（１９９６）及び「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）及び「香りの百科」、日本香料協会編、朝倉書店（１９８９）及び「Ｐｅｒｆｕｍｅｒｙ  Ｍａｔｅｒｉａｌ  Ｐｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）及び「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等で見られ、それぞれを引用することにより本明細書の開示の一部とされる。
香料の配合量は、組成物全量に対して０．００１〜２０質量％が好適であり、より好ましくは、０．０１〜１０質量％配合される。
【００７２】
液体漂白剤組成物には、その他、塩化ナトリウム、塩化カリウム、硫酸ナトリウム、炭酸ナトリウム、炭酸カリウム、ホウ酸ナトリウムなどの無機塩類や、シリコーン類、殺菌剤、蛍光染料、酵素等の、一般に液体洗浄剤組成物や液体漂白剤組成物に配合される成分を、必要に応じて配合することができる。
【００７３】
本発明の液体漂白剤組成物は、さらに、２５℃でのｐＨが４〜８であることが好ましく、５〜７であることがより好ましい。ｐＨが上記範囲内であると、より安定で、しかも疎水性繊維に付着した疎水性汚れ（油性よごれ）の漂白洗浄性能が向上する。
ｐＨの調整は、酸性物質、アルカリ性物質を適宜選択し、適量添加することにより行うことができる。
酸性物質としては、例えば塩酸、硫酸、リン酸等の無機酸、ｐ−トルエンスルホン酸、クエン酸、ホスホン酸誘導体等の有機酸が好適なものとして挙げられる。
アルカリ性物質としては、水酸化ナトリウム、水酸化カリウム、炭酸ナトリウム、炭酸水素ナトリウム、アンモニア等が好適なものとして挙げられる。
【００７４】
［製造方法］
本発明の液体漂白剤組成物は、常法により製造できる。例えば、上記必須とする材料と適宜選択される好ましい材料や任意成分等を、適度な濃度になる様に水に溶解して混合するとともに、上述の様に酸性物質やアルカリ性物質を用いてｐＨを調整することにより、製造することができる。
【００７５】
［使用方法］
本発明の液体漂白剤組成物の使用方法は、特に制限はなく、一般的な液体漂白剤の使用方法と同様であってよい。例えば、本発明の液体漂白剤組成物を、汚れの付着した対象物に塗布し、当該対象物を、市販の洗剤を溶かした液等で洗浄すればよい。また、本発明の液体漂白剤組成物の一定量を市販の洗剤の溶液に加え、対象物を洗浄してもよい。
【００７６】
本発明の液体漂白剤組成物は、例えば適当な容器に収納して漂白剤製品とすることができる。
液体漂白剤組成物を収納する容器としては、特に限定することはなく、一般的に用いられている容器に収納することができる。かかる容器としては、例えば、計量キャップを備えたノズル型容器や中栓型容器、自動計量機構または簡易計量機構を備えたスクイズ容器やポンプ容器、液を吹きかけるあるいは泡状に塗布するトリガー容器やスクイズ容器、液を塗りつける塗布面を持った塗布容器、詰め替え容器（パウチ、薄肉ボトル、付け替えボトル等）等が挙げられる。
本発明の液体漂白剤組成物を収納する容器としては、例えば特開２００３−３３８９９７号公報、特開平１１−１００５９４号公報等に提示されているような、過酸化水素製剤を収納する容器として提案されている容器が好ましい。
【００７７】
上述のように、本発明の液体漂白剤組成物においては、（Ａ）、（Ｂ）、（Ｃ）及び（Ｄ）成分を必須とする。これにより、疎水性汚れ及び複合汚れに対して優れた除去効果を発揮できる。
これらの必須成分のうち、（Ａ）成分は、当該液体漂白剤組成物が、酸素系漂白剤として機能するために必須である。
また、（Ｂ）成分は、漂白洗浄効果の向上に寄与する。
（Ｃ）成分は、疎水性汚れの除去に優れた効果を発揮し、たとえばポリエステル繊維、アクリル繊維等の疎水性繊維に付着した疎水性汚れも除去できる。また、（Ｃ）成分の作用によって、当該液体漂白剤組成物は温度に対する粘度が安定であるので、環境温度が変化してもハンドリング性に変化が生じにくい。
（Ｄ）成分は、上述したように、疎水性汚れ及び水溶性汚れに対する当該液体漂白剤組成物の親和性を向上させる効果を有する。また、他の成分、特に（Ｃ）成分の効果を相乗的に高める効果を有する。
そして、（Ｂ）成分、（Ｃ）成分及び（Ｄ）成分をＢ／Ｃ＞１４．０、Ｄ／Ｃ＞２．０の条件を満たすよう配合することにより、これらが相乗的に作用し、複合汚れに対する除去効果が発揮され、結果、疎水性汚れ及び複合汚れに対して優れた除去効果を発揮できると考えられる。
さらに、本発明においては、ポリエステル系繊維やアクリル系繊維等の疎水性繊維に付着した疎水性しみ汚れ及び複合汚れについても、優れた除去効果を発揮できる。
また、本発明の液体漂白剤組成物は、（Ａ）成分（過酸化水素）及び（Ｃ）成分（水溶性ポリマー）が、液体組成物中に安定に配合されており、（Ａ）成分や（Ｃ）成分の分解による上記性能の低下が抑制されたものである。
【実施例】
【００７８】
次に、実施例及び比較例を挙げるが、本発明は下記例によって何ら限定されものではない。
（実施例１〜８、比較例１〜７）
各例において、下記手順に従い、液体漂白剤組成物を調製した。
まず、撹拌槽に精製水を仕込み、これに、（Ｂ）成分、（Ｃ）成分、（Ｄ）成分及び任意成分を添加し、撹拌して各成分を混合・溶解した。このとき、溶液のｐＨが極端に酸性又はアルカリ性にならないように、酸性物質とアルカリ性物質とを交互に添加する等、配合順序を考慮した。
次いで（Ａ）成分を添加して混合し、表２，３に示す組成及びｐＨの液体漂白剤組成物を得た。
表中、配合量の単位は質量％であり、純分を示す。また、ｐＨは、２５℃における値を示す。
表２，３に示す硫酸又は水酸化ナトリウムはｐＨ調整剤であり、（Ａ）成分添加後のｐＨが所定のｐＨになるように、予め添加量を調整しておいた。
また、（Ｂ）成分は７０質量％の水溶液の形態で撹拌槽に添加した。
【００７９】
得られた液体漂白剤組成物を用いて下記の評価を行った。その結果を表２，３に併記した。
＜漂白洗浄性能評価＞
（１）疎水性汚れ
５×５ｃｍのポリエステルトロピカル布に、インジケーターとしてオイルレッドを０．０５％添加した植物油（キャノーラ油：日清オイリオ社製）を０．０１５ｍｌ滴下後風乾して、疎水性汚れ評価用の汚染布を作製した。
次に、タオル上に上記汚染布を５枚載置し、汚染布１枚に対して各液体漂白剤組成物を０．０２５ｍＬ塗布し、５分放置した。環境温度は常温（２０〜２５℃）とした。
次に、製品名Ｔｅｒｇ−Ｏ−Ｔｏｍｅｔｅｒ（Ｕ．Ｓ．Ｔｅｓｔｉｎｇ社製）（１２０ｒｐｍ，２５℃、４°ＤＨ水道水、浴比３０、粉末洗剤（製品名トップ、ライオン社製）、標準使用濃度で１０分間洗浄し、１分間脱水し、２分間流水すすぎを行い、１分間脱水した。
脱水後の汚染布をアイロンで乾燥後、当該汚染布の反射率（洗浄後反射率）を、反射率計（日本電色社製Σ９０）を用いて測定した。また、同様にして、汚染前の汚染布（ポリエステルトロピカル布）の反射率（白布反射率）及び洗浄前の汚染布の反射率（洗浄前反射率）を測定した。それらの値から、下記数式１で表される式により漂白洗浄率を求めた。
（数式１）漂白洗浄率（％）＝（洗浄前反射率−洗浄後反射率）／（洗浄前反射率−白布反射率）×１００
上記のようにして、各液体漂白剤組成物それぞれについて、汚染布５枚について漂白洗浄率（％）を求め、その平均値から、以下の判定基準で漂白洗浄性能を評価した。
◎：漂白洗浄率が７５％超１００％以下。
○：漂白洗浄率が５０％超７５％以下。
△：漂白洗浄率が２５％超５０％以下。
×：漂白洗浄率が２５％以下。
【００８０】
（２）複合汚れ
汚染布として、５×５ｃｍのポリエステルトロピカル布に、ミートソース缶（カゴメ社製）を加温後、ガーゼでろ過したものを０．０６ｍＬ滴下し、１．５ｃｍ大の円状に塗り伸ばし風乾して作製した複合汚れ評価用の汚染布を用いた以外は上記（１）と同様にして複合汚れに対する漂白洗浄性能を評価した。
【００８１】
（Ａ）成分、（Ｂ）成分、（Ｃ）成分及び（Ｄ）成分を全て含有し、かつＢ／Ｃ＞１４、Ｄ／Ｃ＞２である実施例１〜８の液体漂白剤組成物は、疎水性汚れ及び複合汚れの両方に対して良好な漂白洗浄清浄を示した。
これに対し、（Ａ）成分を配合しなかった比較例１、（Ｃ）成分及び（Ｄ）成分を配合しなかった比較例４、（Ｂ）成分を配合しなかった比較例５では、疎水性汚れ及び複合汚れの両方に対して漂白洗浄性能が不良であり、特に比較例４は、疎水性汚れ及び複合汚れの両方に対して漂白洗浄性能が非常に悪かった。
（Ｄ）成分を配合しなかった比較例５は、複合汚れに対する漂白洗浄性能が不良であった。
また、（Ａ）成分、（Ｂ）成分、（Ｃ）成分及び（Ｄ）成分を全て含有するものの、Ｂ／Ｃが１０．０であり、Ｄ／Ｃが１．０である比較例２や、Ｂ／Ｃが１０．０である比較例３は、疎水性汚れ及び複合汚れの両方に対して漂白洗浄性能が悪く、また、Ｄ／Ｃが１．３である比較例７は、複合汚れに対する漂白洗浄性能が悪かった。
【００８２】
【表２】
2007169576.tif 000010
【００８３】
【表３】
2007169576.tif 000011
【００８４】
表２，３中の＊１〜２２はそれぞれ下記のものを示す。
＊１：三菱瓦斯化学社製、３５質量％水溶液。
＊２、３：ライオン社製、一般式Ｒ１−Ｏ−（ＣＨ２ＣＨ２Ｏ）ｎａｖ−Ｈ［Ｒ１はアルキル基、ｎａｖはエチレンオキシド（ＥＯ）平均付加モル数。］で表されるポリオキシエチレンアルキルエーテル。
＊２は、Ｙｉ＝８４％、Ｒ１：Ｃ１２アルキル基とＣ１４アルキル基との混合物（Ｃ１２／Ｃ１４＝７／３（質量比））、ＥＯの平均付加モル数ｎａｖ＝５である。
＊３は、Ｙｉ＝４０％、Ｒ１：Ｃ１２アルキル基、ＥＯの平均付加モル数ｎａｖ＝６である。
ここで、Ｙｉは、上記式で表されるノニオン性界面活性剤の合計質量に対するＥＯ付加モル数ｎ＝（ｎａｖ−２）〜（ｎａｖ＋２）のノニオン性界面活性剤の合計質量の割合を示す。
＊４：ライオン社製、炭素数１０〜１４アルキルベンゼンスルホン酸ナトリウム。
＊５：ライオン社製、リポランＬＢ−４４０（炭素数１４のα−オレフィンスルホン酸ナトリウム、４０％品）。
＊６：ライオン社製、アーカードＴ−８００。
＊７：クラリアント社製、ＳＲＮ−１００。
＊８：クラリアント社製、ＳＲＮ−３００。
＊９：日本乳化剤社製、フェニルジグリコールＰｈＤＧ。
＊１０：日本乳化剤社製、フェニルプロピレングリコールＰｈＦＧ。
＊１１：関東化学社製、ｐ−エチルフェノール。
＊１２：関東化学社製、ｎ−ヘキシルアルコール。
＊１３：関東化学社製、シクロヘキサノール。
＊１４：川口化学社製、ＭＱ−Ｆ。
＊１５：オルブライトウィルソン社製、ＢＲＩＱＵＥＳＴ  ＡＤＰＡ（ヒドロキシエタン−１，１−ジホスホン酸、６０％品）。
＊１６：関東化学社製、ヒドロキノン。
＊１７：ドデカノイルオキシベンゼンスルホン酸ナトリウム、特開平０６−３１６７００号公報に記載の漂白活性化剤（Ｉ−３）の合成方法に準じて合成したもの。
＊１８：日本アルコール販売製、９５％エタノール。
＊１９：三菱化学社製、エチレングリコールＢ。
＊２０：日本乳化剤社製、ＢＡ−Ｐ４Ｕグリコール。
＊２１：ＢＯＲＡＸ社製、ＢＯＲＡＸ（四ホウ酸ナトリウム十水和物）。
＊２２：特開２００３−２６８３９８号報の表７〜１４に記載の香料組成物Ａ〜Ｄ。